(57)【要約】【課題】装着部からの尿漏れを防止することができる吸収性物品を提供する。【解決手段】透液性の表面シートと、不透液性の裏面シートとの間に介装され、吸収体を有する吸収部とを備え、長手方向の中央部において表面シートが内側となるように折り曲げて重ねると共に短手方向の端部に設けられたシール部を表面シート側で貼り合わせることにより長手方向の端部に開口部を有する吸収性物品であって、吸収部は、長手方向に沿うスリット等が短手方向に所定の間隔で２本設けられることで、短手方向中央に位置する第１の吸収部及び二つの第２の吸収部が分割されて設けられ、長手方向の中央において短手方向に沿うスリット等が該中央を挟んで長手方向に所定の間隔で２本設けられることで、第１及び第２の吸収部から第３の吸収部が分割されて設けられ、スリット等の部分を内側に折り曲げることで内部空間を構成する。【選択図】図３
2014188253.tif 000002
【特許請求の範囲】
【請求項１】
透液性の表面シートと、不透液性の裏面シートと、前記表面シートと前記裏面シートとの間に介装され、吸収体を有する吸収部とを備え、長手方向の中央部において前記表面シートが内側となるように折り曲げて重ねると共に、短手方向の端部に設けられたシール部を前記表面シート側で貼り合わせることにより長手方向の端部に開口部を有する吸収性物品であって、
前記吸収部は、
長手方向に沿うスリット又はエンボスが短手方向に所定の間隔で２本設けられることで、短手方向中央に位置する第１の吸収部、及び当該第１の吸収部の短手方向端部側に位置する二つの第２の吸収部が分割されて設けられ、
長手方向の中央において短手方向に沿うスリット又はエンボスが該中央を挟んで長手方向に所定の間隔で２本設けられることで、前記第１及び第２の吸収部から第３の吸収部が分割されて設けられ、
前記スリット又はエンボス部分を内側に折り曲げることで、内部空間を構成することを特徴とする吸収性物品。
【請求項２】
前記第２の吸収部は、
短手方向の中央の前記第１の吸収部と前記第３の吸収部と近接する位置から短手方向の端部であって該位置よりも長手方向の端部側の位置に向かって、長手方向の端部側が凸となるスリット又はエンボスが設けられていることを特徴とする請求項１に記載の吸収性物品。
【請求項３】
前記第３の吸収部であって、第２の吸収部に挟まれる箇所の吸収体を除去したことを特徴とする請求項１又は２に記載の吸収性物品。
【請求項４】
前記第２の吸収部の長手方向の周縁に近接する両隅であって、前記第１の吸収部に近接しない部分が切り欠かれると共に当該切り欠かれた部分が前記シール部となっていることを特徴とする請求項１〜３のいずれか一項に記載の吸収性物品。
【請求項５】
前記第１の吸収部であって、前記第３の吸収部に近接する端部から長手方向の端部に向かって、幅が順次狭くなるように切り欠かれた切り欠き部を備えたことを特徴とする請求項１〜４のいずれか一項に記載の吸収性物品。
【請求項６】
前記第１乃至第３の吸収部を二層構造とすると共に、
前記表面シート側の一層の前記第１の吸収部であって、前記第３の吸収部に近接する端部から長手方向の端部に向かって、幅が順次狭くなるように切り欠かれた切り欠き部を備えたことを特徴とする請求項１〜４のいずれか一項に記載の吸収性物品。
【請求項７】
前記第１の吸収部であって、長手方向の端部の吸収量を長手方向の中央より増加させたことを特徴とする請求項１〜６のいずれか一項に記載の吸収性物品。
【発明の詳細な説明】
【技術分野】
【０００１】
本発明は、吸収性物品に関する。
【背景技術】
【０００２】
従来、高齢者・障害者等の成人用の吸収性物品として、表面シートと、裏面シートと、両シートの間の一部に介装された吸収体と、を備えた使い捨ておむつや尿取りパッドが広く利用されている。そして、男性用に特化した吸収性物品として、男性器を被包して用いるタイプの男性用尿取りパッドが知られている。この男性用尿取りパッドは、従来の使い捨ておむつや尿取りパッドと同様に、表面シート、裏面シート、及び吸収体を備えた吸収性物品であるが、単に着用者に宛がうのではなく、男性器を被包して用いる点に特徴がある。
【０００３】
上記のような男性用尿取りパッドは、男性器を被包した状態で用いるため、使い捨ておむつ、或いは単に下着やおむつ上に載置して用いる平当ての尿取りパッドと比較して、排泄物と着用者の肌との接触面積を少なくすることができ、排泄物に起因するスキントラブルを減少させることが可能となるという利点がある。
【０００４】
ところで、男性用尿取りパッドを使用する際には、男性器の位置が安定しないことに鑑み、男性用尿取りパッドを袋状に成形して男性器にかぶせることで、漏れを防止させることがある。
例えば、袋体の長手方向の寸法を抑えつつ、袋体の内部空間を広く確保し、且つ、尿を吸収する能力を向上させて、袋体からの尿漏れを防止できる尿吸収物品が実現されている（例えば、特許文献１参照）。
【０００５】
また、袋体の開口部に沿って座屈変形時の弾力性で男性器を押圧する板状または線状の弾性部材を設けることにより、袋体から男性器が外れにくい男性用尿取りパッドが実現されている（例えば、特許文献２参照）。
【先行技術文献】
【特許文献】
【０００６】
【特許文献１】特開２０１１−０４１６７８号公報
【特許文献２】特開平１１−０８９８６７号公報
【発明の概要】
【発明が解決しようとする課題】
【０００７】
しかしながら、特許文献１に記載された尿吸収物品では、排尿前には十分な内部空間が形成されておらず、尿が排泄され、尿を吸収した吸収体が膨潤し、折り込み部が展張して袋体の底部にさらなる内部空間が形成される構造のため、排尿の勢いが強い、或いは、排泄量が多い場合には、袋体の底部の内部空間の形成が間に合わず袋体から尿漏れするおそれがある。
【０００８】
また、特許文献２に記載された男性用尿取りパッドでは、男性器を開口部に挿入することにより袋体に形成される内部空間が狭いので、排尿の勢いが強い、或いは、排泄量が多い場合には、袋体から尿漏れするおそれがある。
【０００９】
本発明の課題は、装着部からの尿漏れを防止することができる吸収性物品を提供することにある。
【課題を解決するための手段】
【００１０】
前記課題を解決するために、請求項１記載の発明は、
透液性の表面シートと、不透液性の裏面シートと、前記表面シートと前記裏面シートとの間に介装され、吸収体を有する吸収部とを備え、長手方向の中央部において前記表面シートが内側となるように折り曲げて重ねると共に、短手方向の端部に設けられたシール部を前記表面シート側で貼り合わせることにより長手方向の端部に開口部を有する吸収性物品であって、
前記吸収部は、
長手方向に沿うスリット又はエンボスが短手方向に所定の間隔で２本設けられることで、短手方向中央に位置する第１の吸収部、及び当該第１の吸収部の短手方向端部側に位置する二つの第２の吸収部が分割されて設けられ、
長手方向の中央において短手方向に沿うスリット又はエンボスが該中央を挟んで長手方向に所定の間隔で２本設けられることで、前記第１及び第２の吸収部から第３の吸収部が分割されて設けられ、
前記スリット又はエンボス部分を内側に折り曲げることで、内部空間を構成することを特徴とする。
【００１１】
請求項２記載の発明は、請求項１に記載の吸収性物品において、
前記第２の吸収部は、
短手方向の中央の前記第１の吸収部と前記第３の吸収部と近接する位置から短手方向の端部であって該位置よりも長手方向の端部側の位置に向かって、長手方向の端部側が凸となるスリット又はエンボスが設けられていることを特徴とする。
【００１２】
請求項３記載の発明は、請求項１又は２に記載の吸収性物品において、
前記第３の吸収部であって、第２の吸収部に挟まれる箇所の吸収体を除去したことを特徴とする請求項１又は２に記載の吸収性物品。
【００１３】
請求項４記載の発明は、請求項１〜３のいずれか一項に記載の吸収性物品において、
前記第２の吸収部の長手方向の周縁に近接する両隅であって、前記第１の吸収部に近接しない部分が切り欠かれると共に当該切り欠かれた部分が前記シール部となっていることを特徴とする。
【００１４】
請求項５記載の発明は、請求項１〜４のいずれか一項に記載の吸収性物品において、
前記第１の吸収部であって、前記第３の吸収部に近接する端部から長手方向の端部に向かって、幅が順次狭くなるように切り欠かれた切り欠き部を備えたことを特徴とする。
【００１５】
請求項６記載の発明は、請求項１〜４のいずれか一項に記載の吸収性物品において、
前記第１乃至第３の吸収部を二層構造とすると共に、
前記表面シート側の一層の前記第１の吸収部であって、前記第３の吸収部に近接する端部から長手方向の端部に向かって、幅が順次狭くなるように切り欠かれた切り欠き部を備えたことを特徴とする。
【００１６】
請求項７記載の発明は、請求項１〜６のいずれか一項に記載の吸収性物品において、
前記第１の吸収部であって、長手方向の端部の吸収量を長手方向の中央より増加させたことを特徴とする。
【発明の効果】
【００１７】
本発明によれば、表面シートと裏面シートとの間に介装された吸収体を有する吸収部を、スリット又はエンボスにより、正面部及び裏面部を構成する第１の吸収部、両側面部を構成する第２の吸収部及び底面部を構成する第３の吸収部に分割し、両側面部の下部を左右から押圧した場合、吸収性物品に内部空間及び開口部が形成され、当該開口部に男性器を挿入して使用することにより、排尿された尿が一時的に当該内部空間に溜め置かれることになり、装着部からの尿漏れを防止することができる。
【図面の簡単な説明】
【００１８】
【図１】第１実施形態の吸収性物品の一例を示す展開図である。
【図２】図１のII−II断面の一例を示す図である。
【図３】第１実施形態の吸収性物品の一例を示す平面図である。
【図４】第１実施形態の吸収性物品の一例を示す斜視図である。
【図５】第１実施形態の吸収性物品の使用状態を説明する図である。
【図６】変型例１の吸収性物品の一例を示す展開図である。
【図７】変形例１のVII−VII断面の一例を示す図である。
【図８】変形例２の吸収性物品の一例を示す展開図である。
【図９】変形例２のIX−IX断面の一例を示す図である。
【図１０】変形例３の吸収性物品の一例を示す展開図である。
【図１１】変形例３のXI−XI断面の一例を示す図である。
【発明を実施するための形態】
【００１９】
以下、図面を参照しつつ、本発明の実施形態である吸収性物品を詳細に説明する。但し、発明の範囲は、図示例に限定されない。
【００２０】
（第１実施形態）
本発明の第１実施形態の吸収性物品について、図１、図２、図３、図４及び図５に基づいて説明する。
【００２１】
吸収性物品は、例えば、夜用又は長時間用の男性用尿取りパッドであり、おむつやおむつカバー、パンツなどの人体に装着される外装体（図示省略）と併せて着脱・交換自在に使用される。
【００２２】
吸収性物品１００は、図１の展開図に示すように、略長方形の不透液性の裏面シート１上に、吸収性物品１００の正面部及び背面部を構成する吸収部２、吸収性物品１００の両側面部を構成する吸収部３及び吸収性物品１００の底面部を構成する吸収部４にそれぞれ分割されて形成される。
【００２３】
具体的には、吸収体を有する吸収部は、略長方形の裏面シート１（或いは、図示していない表面シート）上の周縁を除く部分に、略長方形状に形成され、図１中の斜線部分Ｐ１及びＰ２の吸収体を除去する。ちなみに、図１中の斜線部分Ｐ１及びＰ２は一旦形成した吸収体を除去するのではなく、初めから形成しないように製造するものであっても、勿論構わない。
【００２４】
そして、吸収部の長手方向にエンボスＥ１、Ｅ２、Ｅ３及びＥ４を形成して、吸収部をそれぞれ吸収部２及び４つの吸収部３に分割し、さらに、吸収部の短手方向にエンボスＥ５、Ｅ６及びＥ７を形成して、吸収部４を吸収部２から分離して、それぞれ２つの吸収部２及び４を形成する。
【００２５】
最後に、形成された４つの吸収部３であって、それぞれの四隅の内、吸収部４に近接する部分から吸収性物品１００の周縁に向かって、吸収性物品１００の長手方向の中央（図１中のIII−III）側に湾曲するようにエンボスＥ８、Ｅ９、Ｅ１０及びＥ１１をそれぞれ形成する。
【００２６】
また、このように分割され形成された吸収部２〜４の上には、尿等の液体を速やかに透過させる透液性の表面シート（図示せず）が形成され、吸収性物品１００の周縁において、表面シートと裏面シートとは、ホットメルト接着剤、ヒートシール、超音波シール等により貼り合わされている。
【００２７】
このため、図２に示すように、図１中II−II断面における吸収部２及び３は、表面シート５と裏面シート１との間に介装された構造になる。
【００２８】
表面シート５は、有孔又は無孔の不織布や、多孔性プラスチックシート等により形成されている。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、又はこれらを組み合わせた方法が挙げられる。
表面シートに多数の透孔を形成した場合には、尿等の液体がより速やかに吸収されるようになり、ドライタッチ性に優れたものとなる。
【００２９】
裏面シート１は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。また、熱や圧力をかけることで繊維の空隙を小さくしたり、高吸水性樹脂又は疎水性樹脂や撥水剤を塗布したりして、プラスチックフィルムを用いずに不透液性としたシートを裏面シートとして用いることができる。
【００３０】
吸収部２〜４が有する吸収体は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer）を組み合わせて吸収体を構成することもできる。
【００３１】
高吸水性樹脂（以下、単にポリマーと呼ぶ。）としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
さらに、消臭機能を持たせるため、吸収体に消臭剤を入れてもよい。消臭剤としては、例えば、活性炭や天然鉱物（例えば、ベンナイト、カオリナイト、カネマイト等）、合成無機物（ゼオライト、アモルファスシリカ等）を用いることができる。
【００３２】
そして、図１に示す展開図のように形成された吸収体物品１００を、吸収性物品１００の長手方向の中央（図１中のIII−III）部分で表面シート５が内側にくるように折り曲げて重ねると共に、図３に示すように、シール部６を形成して表面シート５側を貼り合わせることにより、吸収体物品１００を製品として完成させる。
【００３３】
具体的にシール部６は、吸収性物品１００の周縁であって、当該周縁が吸収部２の辺に近接する部分、言い換えれば、開口部が形成される部分、及び、折り曲げ部分以外の表面シート５側をホットメルト接着剤、ヒートシール、超音波シール等により貼り合わせる。
【００３４】
ここで、吸収体物品１００の使用状態等を図４及び図５を用いて説明する。装着の際に、図３において矢印のように湾曲したエンボスＥ８、Ｅ９、Ｅ１０及びＥ１１により分割された扇状の吸収部３の部分、言い換えれば、両側面部を構成する吸収部の下部を左右から押圧することにより、吸収体物品１００は、形成されたエンボスＥ１、Ｅ２、Ｅ３及びＥ４の部分で内側に折れ曲がり、図４の斜視図のように、箱状の内部空間が形成される。
【００３５】
特に、両側面部を形成する吸収部３が一体ではなく、湾曲したエンボスＥ８、Ｅ９、Ｅ１０及びＥ１１により分割され、両側面部の下部に扇状の吸収部３が形成されることにより、押圧した力が両側面部の下部に集中し易くなり、エンボスＥ１、Ｅ２、Ｅ３及びＥ４の部分で、容易に折れ曲げることができる。
【００３６】
すなわち、２つの吸収部２によって正面部及び背面部の壁が形成され、４つの吸収部３のうち、対向する２つの吸収部３により側面の壁が形成される。さらに、吸収部４によって底面部の壁が形成され、当該底面部に対向する部分に男性器を挿入するための開口部ＡＰを有する形状になる。
【００３７】
また、図５（ａ）は、箱状の内部空間が形成された吸収性物品１００の開口部ＡＰに使用者の男性器を挿入した状態の概要を示しており、当該吸収性物品１００は使用者の大腿部Ｌに挟まれる状態になり、吸収性物品１００の側面部が大腿部Ｌから押圧されることになり、吸収性物品１００に形成された箱状の内部空間の形状を維持するのに好適な状態になる。
【００３８】
ちなみに、平均して日本人男性の大腿部Ｌの隙間は４０ｍｍ〜６０ｍｍ程度であるので、吸収部２の短手方向の幅は５０ｍｍ程度であることが好ましい。
【００３９】
また、排尿時において、図５（ｂ）に示すように、吸収性物品１００に形成される内部空間は、男性器Ｐに装着する時点で既に形成済みであり、且つ、従来例と比較して広いため、排尿の勢いが強い、或いは、排泄量が多い場合であっても、尿Ｕは一時的に当該内部空間、特に、吸収部４で形成される底面部分に溜め置かれることになり、一気に装着部である開口部ＡＰから尿漏れすることが防止できる。
【００４０】
また、図１中の斜線部Ｐ１に吸収体を設けないことにより、当該斜線部Ｐ１がマチとなり、扇状の吸収部３の部分を左右から押圧した際に、吸収体物品１００に形成されたエンボスＥ１、Ｅ２、Ｅ３及びＥ４の部分が折れ曲がり易くなる。さらに、図１中の斜線部Ｐ１の部分に吸収体を設けないことにより、尿を吸収して吸収体が膨らみ折角形成された内部空間を狭めてしまうことを防止できる。
【００４１】
また、図１中の斜線部Ｐ２に吸収体を設けないと共に、当該斜線部Ｐ２にシール部６を形成することにより、具体的には、吸収性物品１００の周縁であって、当該周縁が吸収部２の辺に近接する部分、及び、折り曲げ部分以外の表面シート５側が貼り合わされるので、結果として吸収性物品１００に形成される開口部ＡＰを狭くすることができ、装着部である開口部ＡＰからの尿漏れのリスクを低減することができる。
【００４２】
以上のように、本発明の第１実施形態では、表面シート５と裏面シート１との間に介装された吸収体を有する吸収部を、正面部及び背面部を構成する吸収部２、両側面部を構成する吸収部３及び底面部を構成する吸収部４に分割し、両側面部の下部を左右から押圧した場合、吸収性物品に内部空間及び開口部ＡＰが形成され、当該開口部ＡＰに男性器を挿入して使用することにより、排尿された尿が一時的に当該内部空間に溜め置かれることになり、装着部からの尿漏れを防止することができる。
【００４３】
（変形例１）
本発明の第１実施形態の変形例１について、図６及び図７に基づいて説明する。なお、上述した第１実施形態と重複する説明に関しては適宜説明を省略する。
【００４４】
変形例１である吸収性物品１０１は、図６の展開図に示すように、略長方形の不透液性の裏面シート１上に、吸収性物品１０１の正面部及び背面部を構成する吸収部７、吸収性物品１０１の両側面部を構成する吸収部８及び吸収性物品１０１の底面部を構成する吸収部９がそれぞれ形成される。なお、表面シート５と裏面シート１との間に介装される吸収体を有する吸収部の基本的な配置等は第１実施形態と同じであるのでその説明は省略する。
【００４５】
第１実施形態と異なる点は、２つの吸収部７の吸収体の中央部に、吸収部７の吸収体を除去したスリット１０が形成された点である。
【００４６】
具体的には、図６に示すように、２つの吸収部７であって、それぞれ四辺の内、底面部を形成する吸収部９に近接する辺に切り欠き部を形成し、当該辺に対向する辺（開口部側）に向かってスリット幅が順次狭くなるようにスリット１０を形成する。
【００４７】
なお、第１実施形態と同様に図６に示す展開図のように形成された吸収体物品１０１を、吸収性物品１０１の長手方向の中央部分で表面シート５が内側にくるように折り曲げて重ねると共に、図３に示すように、シール部６を形成して表面シート５側を貼り合わせることにより、吸収体物品１０１を製品として完成させる。
【００４８】
このため、図７に示すように、図６中VII−VII断面における吸収部７及び８は、表面シート５と裏面シート１との間に介装された構造になると共に、スリット１０の部分の吸収部７の吸収体は除去されている。ちなみに、スリット１０は、一旦、吸収部７を形成した後に吸収体を除去するものであっても、初めからスリット１０の部分に吸収体を形成しないようにするものであっても構わない。
【００４９】
すなわち、変形例１である吸収性物品１０１では、吸収部７の中央部に、吸収部７の吸収体を除去したスリット１０が底部から開口部に向かって順次スリット幅が狭くなるように形成されているので、形成された内部空間の底部では、吸収体による吸収効果が少なく、吸収体の膨張に起因する内部空間の縮小を抑えると共に排尿された尿が溜まり易くなり、且つ、底部に溜まった尿を開口部方向に誘導し易くなる。
【００５０】
また、吸収体物品１０１の内部空間の底部に溜まった尿が順次開口部方向に誘導され、当該部分に存在する吸収体が尿を吸収して膨張することにより、装着部である開口部付近の隙間が減少することになり、より尿漏れ防止効果が増大する。
【００５１】
以上のように、本発明の変形例１では、第１実施形態と同様の効果を奏すると共に、吸収部７の中央部に、吸収部７の吸収体を除去したスリット１０が底部から開口部に向かって順次スリット幅が狭くなるように形成することにより、底部では吸収体の膨張に起因する内部空間の縮小を抑えると共に排尿された尿が溜まり易くなり、且つ、底部に溜まった尿を開口部方向に誘導し易くなる。
【００５２】
（変形例２）
本発明の第１実施形態の変形例２について、図８及び図９に基づいて説明する。なお、上述した第１実施形態及び変形例１と重複する説明に関しては適宜説明を省略する。
【００５３】
変形例２である吸収性物品１０２は、基本的に変形例１と同じであり異なる点は、吸収部が二層構造になっている点である。
【００５４】
すなわち、図８の展開図に示すように、表面シート５に接する吸収体を有する吸収部の上層では、変形例１と同一の構成である吸収部１１〜１３及びスリット１４を有し、裏面シート１に接する吸収体を有する吸収部の下層では、吸収部１１〜１３と同一形状、且つ、同一位置に吸収部１５〜１７がそれぞれ形成される。
【００５５】
具体的には、図８に示す展開図を互いに吸収部同士が接するように重ね合わせると共に、第１実施形態と同様に吸収性物品１０２の長手方向の中央部分で表面シート５が内側にくるように折り曲げて重ねると共に、図３に示すように、シール部６を形成して表面シート５側を貼り合わせることにより、吸収性物品１０２は構成される。
【００５６】
このため、図９に示すように、表面シート５と裏面シート１との間に介装された構造になると共に、図９中IX−IX断面における下層である吸収部１５にはスリットが存在せず、上層である吸収部１１におけるスリット１４の部分の吸収部１１の吸収体は除去された構造になっている。
【００５７】
変形例２である吸収性物品１０２では、スリット１４の下層に吸収部１５が存在するので、変形例１と比較してスリット１４部分における尿の吸収を補うことができる。
【００５８】
以上のように、本発明の変形例２では、第１実施形態及び変形例１と同様の効果を奏すると共に、上層の吸収部１１の中央部に、吸収部１１の吸収体を除去したスリット１４が底部から開口部に向かって順次スリット幅が狭くなるように形成すると共に、下層の吸収部１５にはスリットを設けないことにより、スリット１４の下層に吸収部１５が存在するので、変形例１と比較してスリット１４部分における尿の吸収を補うことができる。
【００５９】
（変形例３）
本発明の第１実施形態の変形例３について、図１０及び図１１に基づいて説明する。なお、上述した第１実施形態、変形例１及び変形例２と重複する説明に関しては適宜説明を省略する。
【００６０】
変形例３である吸収性物品１０３は、基本的に変形例１と同じであり異なる点は、吸収部上であって開口部の近傍に吸収体であるポリマー部を別途形成させた点である。
【００６１】
すなわち、図９の展開図に示すように、裏面シート１上には、変形例１と同一の構成である吸収部１１〜１３及びスリット１４を有すると共に、開口部の近傍に吸収部であるポリマー部１８が別途形成される。
【００６２】
具体的には、図１１に示すように、表面シート５と裏面シート１との間に介装された構造になると共に、図１１中XI−XI断面における吸収部１１上には吸収体であるポリマー部１８がさらに積層されて形成された構造になっている。
【００６３】
なお、第１実施形態と同様に図１１に示す展開図のように形成された吸収体物品１０３を、吸収性物品１０３の長手方向の中央部分で表面シート５が内側にくるように折り曲げて重ねると共に、図３に示すように、シール部６を形成して表面シート５側を貼り合わせることにより、吸収体物品１０３を製品として完成させる。
【００６４】
変形例３である吸収性物品１０３では、開口部の近傍に吸収体であるポリマー部１８が別途形成されているため、ポリマー部１８における吸収量が増加して、スリット１４によって開口部方向に誘導された尿を吸収体であるポリマー部１８が吸収して膨張することにより、開口部の隙間が狭くなって、装着部である開口部からの尿漏れのリスクを低減することができ、且つ、膨張した吸収体であるポリマー部１８と男性器がフィットすることにより、男性器から吸収性物品１０３が外れ難くなる。
【００６５】
以上のように、本発明の変形例３では、第１実施形態及び変形例１と同様の効果を奏すると共に、開口部の近傍に吸収体であるポリマー部１８を別途形成することにより、ポリマー部１８における吸収量が増加して、尿を吸収して膨張した吸収体であるポリマー部１８により、開口部の隙間が狭くなって装着部である開口部からの尿漏れのリスクを低減することができる。また、膨張した吸収体であるポリマー部１８と男性器がフィットすることにより、男性器からの吸収性物品１０３の脱落を防止できる。
【００６６】
なお、第１実施形態の説明に際しては、図１に示すように、斜線部分Ｐ１及びＰ２に吸収体を設けない展開図を用いて説明しているが、斜線部分Ｐ１及びＰ２に吸収体が設けられた構造であっても、吸収性物品１００に内部空間を形成することができるので、斜線部分Ｐ１及びＰ２に吸収体を設けても構わない。
【００６７】
また、第１実施形態の説明に際しては、Ｅ１〜Ｅ１１をエンボスとして説明しているが、勿論、スリットであっても構わない。すなわち、Ｅ１〜Ｅ１１の部分で吸収部が内側に折れ曲がり易く、図４の斜視図のように、箱状の内部空間が形成されるものであれば、折り目やその他の構造であって構わない。
【００６８】
また、第１実施形態の説明に際しては、Ｅ１〜Ｅ１１は連続して形成されているが、連続形成される必要性はなく、破線状、複数部分で分割されるものであっても、Ｅ１〜Ｅ１１の部分で吸収部が内側に折れ曲がり易く、図４の斜視図のように、箱状の内部空間が形成されるものであれば構わない。
【００６９】
また、第１実施形態の説明に際しては、Ｅ６により、第３の吸収部を２分割しているが、吸収性物品１００の長手方向の中央（図１中のIII−III）部分で表面シート５が内側にくるように折り曲げて重ねることが可能であれば、第３の吸収部を２分割することなく一体であっても構わない。
【００７０】
また、変形例３では、吸収体であるポリマー部１８を吸収部１１上に積層させて設けているが、ポリマー部１８自体で当該吸収部１１部分を包含するように構成しても、或いは、別途ポリマー部１８を設けることなく、吸収部１１を厚く形成することにより、吸収量を増加させて裏面シート１上に吸収体であるポリマー部に相当する吸収部を形成しても構わない。
【符号の説明】
【００７１】
１  裏面シート
２、３、４、７、８、９、１１、１２、１３、１５、１６、１７  吸収部
５  表面シート
６  シール部
１０、１４  スリット
１８  ポリマー部
１００、１０１、１０２、１０３  吸水性物品
Ｅ１、Ｅ２、Ｅ３、Ｅ４、Ｅ５、Ｅ６、Ｅ７、Ｅ８、Ｅ９、Ｅ１０、Ｅ１１  エンボス
ＡＰ  開口部
Ｌ  大腿部
Ｐ  男性器
Ｕ  尿
【図１】
2014188253.tif 000003
【図２】
2014188253.tif 000004
【図３】
2014188253.tif 000005
【図４】
2014188253.tif 000006
【図５】
2014188253.tif 000007
【図６】
2014188253.tif 000008
【図７】
2014188253.tif 000009
【図８】
2014188253.tif 000010
【図９】
2014188253.tif 000011
【図１０】
2014188253.tif 000012
【図１１】
2014188253.tif 000013